(57)【特許請求の範囲】
【請求項１】
利用者を被写体として撮影し、撮影画像を生成する撮影処理部と、
前記利用者により選択されたアスペクト比のトリミング枠で前記撮影画像をトリミングするトリミング処理部と、
前記撮影画像と、前記撮影画像に施される画像処理のパラメータを調整するためのスライダとをモニタに表示する表示制御部と
を備え、
前記表示制御部は、選択された前記トリミング枠のアスペクト比に応じて、前記スライダの向きを変えて、前記画像処理が施される前記撮影画像の一辺に沿って延在するように、前記スライダを表示する
写真シール作成装置。
【請求項２】
前記表示制御部は、アスペクト比が１：１の前記トリミング枠が選択された場合、横方向の前記スライダを表示する
請求項１に記載の写真シール作成装置。
【請求項３】
前記表示制御部は、前記撮影画像が表示されている表示領域上に、前記利用者により選択されたアスペクト比の前記トリミング枠を表示し、
前記トリミング枠は、前記利用者による操作に基づいて、前記表示領域上で、アスペクト比固定で拡大／縮小され、
前記トリミング枠でトリミングされた前記撮影画像は、前記トリミング枠のサイズに応じて拡大／縮小されて表示される
請求項２に記載の写真シール作成装置。
【請求項４】
前記表示制御部は、前記表示領域上で前記トリミング枠が表示された前記撮影画像と、前記スライダとを同時に表示する
請求項３に記載の写真シール作成装置。
【請求項５】
前記表示制御部は、前記表示領域に表示されている前記撮影画像上に、前記トリミング枠と前記スライダとを表示する
請求項３に記載の写真シール作成装置。
【請求項６】
前記表示制御部は、前記表示領域上で前記トリミング枠のサイズが決定された後、前記トリミング枠でトリミングされた前記撮影画像と、前記スライダとを同時に表示する
請求項３に記載の写真シール作成装置。
【請求項７】
前記表示制御部は、選択された前記トリミング枠のアスペクト比に応じて、前記トリミング枠に対する前記スライダの表示位置を変える
請求項１乃至６のいずれかに記載の写真シール作成装置。
【請求項８】
前記表示制御部は、所定のアスペクト比より横長の前記トリミング枠が選択された場合、横方向の前記スライダを前記モニタに表示し、所定のアスペクト比より縦長の前記トリミング枠が選択された場合、縦方向の前記スライダを前記モニタに表示する
請求項７に記載の写真シール作成装置。
【請求項９】
前記スライダにより調整される前記パラメータに応じたぼかし具合のぼかし処理を、前記撮影画像に施す画像処理部をさらに備える
請求項１乃至８のいずれかに記載の写真シール作成装置。
【請求項１０】
利用者を被写体として撮影し、撮影画像を生成し、
前記利用者により選択されたアスペクト比のトリミング枠で前記撮影画像をトリミングし、
前記撮影画像と、前記撮影画像に施される画像処理のパラメータを調整するためのスライダとをモニタに表示する
ステップを含み、
前記ステップは、選択された前記トリミング枠のアスペクト比に応じて、前記スライダの向きを変えて、前記画像処理が施される前記撮影画像の一辺に沿って延在するように、前記スライダを表示する
表示方法。
【発明の詳細な説明】
【技術分野】
【０００１】
本技術は、写真シール作成装置および表示方法に関し、特に、利用者の操作性の向上を図ることができるようにする写真シール作成装置および表示方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
編集作業に用いられる編集画面には、編集対象となる撮影画像に加え、編集を施すためのGUI(Graphical User Interface)としてのボタンやアイコンなどが表示される。その中で、例えば、特許文献１には、編集対象となる撮影画像のアスペクト比に応じて、編集画面のレイアウトのパターンが変化することが記載されている。
【先行技術文献】
【特許文献】
【０００４】
【特許文献１】特許第５７３６５８１号公報
【発明の概要】
【発明が解決しようとする課題】
【０００５】
ところで、近年、写真シール機には、編集画面に、画像処理のパラメータを調整するためのスライダを表示させるものがある。しかしながら、編集画面におけるスライダの配置によっては、利用者がスライダを操作する際、画像処理の対象となる撮影画像が、利用者自身の手や腕の陰に隠れてしまうおそれがある。
【０００６】
本技術は、このような状況に鑑みてなされたものであり、編集作業における利用者の操作性の向上を図ることができるようにするものである。
【課題を解決するための手段】
【０００７】
本技術の一側面の写真シール作成装置は、利用者を被写体として撮影し、撮影画像を生成する撮影処理部と、前記利用者により選択された縦横比のトリミング枠で前記撮影画像をトリミングするトリミング処理部と、前記撮影画像と、前記撮影画像に施される画像処理のパラメータを調整するためのスライダとをモニタに表示する表示制御部とを備え、前記表示制御部は、選択された前記トリミング枠のアスペクト比に応じて、前記スライダの向きを変えて、前記画像処理が施される前記撮影画像の一辺に沿って延在するように、前記スライダを表示する。
【０００８】
本技術の一側面の表示方法は、利用者を被写体として撮影し、撮影画像を生成し、前記利用者により選択された縦横比のトリミング枠で前記撮影画像をトリミングし、前記撮影画像と、前記撮影画像に施される画像処理のパラメータを調整するためのスライダとをモニタに表示するステップを含み、前記ステップは、選択された前記トリミング枠のアスペクト比に応じて、前記スライダの向きを変えて、前記画像処理が施される前記撮影画像の一辺に沿って延在するように、前記スライダを表示する。
【０００９】
本技術の一側面においては、選択されたトリミング枠のアスペクト比に応じて、スライダの向きが変わって、画像処理が施される撮影画像の一辺に沿って延在するように、スライダが表示される。
【発明の効果】
【００１０】
本技術によれば、編集作業における利用者の操作性の向上を図ることが可能となる。
【図面の簡単な説明】
【００１１】
【図１】本技術の写真シール作成装置の外観の構成例を示す斜視図である。
【図２】利用者の移動について説明する図である。
【図３】撮影部の構成例を示す図である。
【図４】背景部の構成例を示す図である。
【図５】編集ユニットの構成例を示す図である。
【図６】編集ユニットの右側面の構成例を示す図である。
【図７】写真シール作成装置の内部の構成例を示すブロック図である。
【図８】制御部の機能構成例を示すブロック図である。
【図９】写真シール作成ゲーム処理について説明するフローチャートである。
【図１０】編集画面の例を示す図である。
【図１１】本技術の写真シール作成装置の機能構成例を示すブロック図である。
【図１２】携帯おまけ作成処理について説明するフローチャートである。
【図１３】トリミング画面の例を示す図である。
【図１４】加工画面の例を示す図である。
【図１５】ぼかし調整画面の例を示す図である。
【図１６】ぼかし調整画面の例を示す図である。
【図１７】ぼかし調整画面の例を示す図である。
【図１８】ぼかし調整画面の例を示す図である。
【図１９】ぼかし調整画面の例を示す図である。
【図２０】トリミング画面の例を示す図である。
【図２１】トリミング画面の例を示す図である。
【図２２】全身撮影種類選択画面の他の例を示す図である。
【図２３】シールレイアウト選択画面の他の例を示す図である。
【図２４】トリミング画面の例を示す図である。
【図２５】トリミング画面の例を示す図である。
【図２６】シールレイアウトの例を示す図である。
【発明を実施するための形態】
【００１２】
以下、本技術を適用した具体的な実施の形態について、図面を参照しながら詳細に説明する。
【００１３】
＜写真シール作成装置の外観構成＞
図１は、写真シール作成装置１の外観の構成例を示す斜視図である。
【００１４】
写真シール作成装置１は、撮影画像や編集済み画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や女子大生などの若い女性が中心とされる。写真シール作成装置１において、１組あたり主に２人や３人などの複数人の利用者がゲームを楽しむことができる。もちろん、１人の利用者がゲームを楽しむこともできる。
【００１５】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１６】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００１７】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００１８】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００１９】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２０】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２１】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ａと側面パネル５２Ａの下部は、床面に設けた金属製の部材（図示せず）によって連結される。
【００２２】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口もまた、撮影空間の出入り口となる。
【００２３】
撮影空間の上方には、撮影部２１の正面パネル４１、連結部３１Ａ、連結部３１Ｂ、および背景部２２の背面パネル５１に囲まれる開口が形成される。その開口には、その一部を覆うように天井ストロボユニット３２が設けられる。天井ストロボユニット３２の一端は連結部３１Ａに固定され、他端は連結部３１Ｂに固定される。
【００２４】
天井ストロボユニット３２は、撮影空間内に向けて光を照射するストロボ発光管を内蔵する。天井ストロボユニット３２の内部には、ストロボ発光管の他に蛍光灯が設けられている。これにより、天井ストロボユニット３２は、撮影空間の照明としても機能する。
【００２５】
編集ユニット１２は、撮影画像に編集を施すための装置である。編集ユニット１２は、一方の側面が撮影部２１の正面パネル４１に接するようにして、撮影ユニット１１に連結している。
【００２６】
図１に示される編集ユニット１２の構成を正面側の構成とすると、編集ユニット１２の正面側と背面側のそれぞれに、編集作業で用いられる構成が設けられる。この構成により、２組の利用者が同時に編集を行うことができる。
【００２７】
編集ユニット１２の正面側は、面１２Ａと、面１２Ａの上方に形成された斜面１２Ｂから構成される。面１２Ａは、床面に対して垂直であり、撮影部２１の側面パネル４２Ａとほぼ平行な面である。斜面１２Ｂには、編集作業に用いられる構成として、タブレット内蔵モニタやタッチペンが設けられる。
【００２８】
斜面１２Ｂの上方右側には、照明装置７３の一端を支持する柱状の支持部７１Ａ（図５）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテンレール７５を支持する支持部７４が設けられる。
【００２９】
編集ユニット１２の上方にはカーテンレール７５が取り付けられる。カーテンレール７５は、３本のレール７５Ａ乃至７５Ｃが組み合わされて構成される。３本のレール７５Ａ乃至７５Ｃは、上から見たときの形状がコの字状となるように組み合わされる。平行に設けられるレール７５Ａとレール７５Ｂの一端は、連結部３１Ａと連結部３１Ｂにそれぞれ固定され、レール７５Ａとレール７５Ｂの他端は、レール７５Ｃの両端にそれぞれ接合される。
【００３０】
カーテンレール７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３１】
また、後述するが、編集ユニット１２の右側面には、印刷済みのシール紙が排出される排出口が設けられる。編集ユニット１２の右側面前方の空間が、印刷が終了するのを利用者が待つ印刷待ち空間となる。
【００３２】
＜利用者の移動について＞
ここで、写真シール作成ゲームの流れと、それに伴う利用者の移動について説明する。
【００３３】
図２は、写真シール作成装置１を上から見た平面図である。
【００３４】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００３５】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００３６】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００３７】
編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００３８】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ間、例えば、サーバに送信する画像の選択や、利用者が持つ携帯端末のメールアドレスの入力を事後選択作業として行う。
【００３９】
印刷が終了すると、利用者は、編集ユニット１２の右側面に設けられた排出口から排出されたシール紙を受け取り、一連の写真シール作成ゲームを終える。
【００４０】
次に、各部の構成について説明する。
【００４１】
＜撮影部の構成＞
図３は、撮影部２１の正面の構成例を示す図である。撮影部２１は、正面パネル４１、側面パネル４２Ａ、および側面パネル４２Ｂに囲まれるようにして構成される。
【００４２】
正面パネル４１のほぼ中央には、カメラユニット８１が設けられる。カメラユニット８１は、カメラ９１、正面ストロボユニット９２、およびタッチパネルモニタ９３から構成される。
【００４３】
カメラ９１は、例えば一眼レフカメラであり、レンズが露出するようにカメラユニット８１の内部に取り付けられる。カメラ９１はCCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９３にリアルタイムで表示される。撮影が指示されたときなどの所定のタイミングでカメラ９１により取り込まれた静止画像は、撮影画像として保存される。
【００４４】
正面ストロボユニット９２は、カメラ９１の上方に設けられる。正面ストロボユニット９２は、他のストロボユニットと同様にカメラ９１による撮影に合わせて発光する。正面ストロボユニット９２は、被写体としての利用者の顔付近に、その正面から光を照射する。
【００４５】
タッチパネルモニタ９３は、カメラ９１の下方に設けられる。タッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUIパーツを表示することで、利用者の選択操作を受け付ける機能とを備える。タッチパネルモニタ９３には、カメラ９１により取り込まれた動画像（ライブビュー画像）や静止画像（撮影画像）が表示される。
【００４６】
正面パネル４１において、カメラユニット８１の上方には上ストロボユニット８２が設置される。また、カメラユニット８１の左方には左ストロボユニット８３が設置され、カメラユニット８１の右方には右ストロボユニット８４が設置される。さらに、カメラユニット８１の下方には箱状の足元ストロボユニット８５が設置される。
【００４７】
上ストロボユニット８２は、前方上側から利用者に光を照射する。左ストロボユニット８３は、前方左側から利用者に光を照射する。右ストロボユニット８４は、前方右側から利用者に光を照射する。足元ストロボユニット８５は、利用者の足元に光を照射する。
【００４８】
上ストロボユニット８２、左ストロボユニット８３、右ストロボユニット８４、および足元ストロボユニット８５の内部には蛍光灯が設けられる。これらの蛍光灯は、天井ストロボユニット３２内部の蛍光灯とあわせて、撮影空間Ａ１内の照明として用いられる。各蛍光灯の発光量が調整されることによって、または、発光する蛍光灯の数が調整されることによって、撮影空間Ａ１内の明るさが適宜調整される。
【００４９】
足元ストロボユニット８５の右側および左側には、足元ストロボユニット８５より高さの低い箱状部８６Ａ，８６Ｂが設けられる。箱状部８６Ａ，８６Ｂそれぞれの上面は、利用者が手荷物などを置くための荷物置き場となる。
【００５０】
さらに、箱状部８６Ａには、利用者が硬貨を投入する硬貨投入口８７が設けられる。
【００５１】
また、図示はしないが、正面パネル４１の例えば天井付近にはスピーカが設けられる。そのスピーカは、撮影作業に関する案内音声、BGM、効果音などを出力する。
【００５２】
＜背景部の構成＞
図４は、背景部２２の撮影空間Ａ１側の構成例を示す図である。
【００５３】
背面パネル５１の上方中央には背面上ストロボユニット１２１が設けられる。また、背面パネル５１の上方右側（図中、左側）には背面右ストロボユニット１２２が設けられ、背面パネル５１の上方左側（図中、右側）には背面左ストロボユニット１２３が設けられる。
【００５４】
背面上ストロボユニット１２１は、後方上側から利用者に光を照射する。背面右ストロボユニット１２２は、後方右側から利用者に光を照射する。背面左ストロボユニット１２３は、後方左側から利用者に光を照射する。
【００５５】
背面パネル５１の撮影空間Ａ１側（図中、手前側）の面には、背面カーテン１２４が貼り付けられる。背面カーテン１２４の色は、例えば緑色とされる。また、図示はしないが、側面パネル５２Ａ，５２Ｂそれぞれの撮影空間Ａ１側にも、背面カーテン１２４と同様の側面カーテンが貼り付けられる。側面カーテンの色は、背面カーテン１２４の色と同一とする。
【００５６】
これらのカーテンはクロマキー用のカーテンとして用いられる。これにより、撮影画像に対してクロマキー処理を施し、利用者が所望する背景画像を、撮影画像の背景部分に合成することができる。なお、これらのカーテンの色は、クロマキー処理を行うことができる色であればよく、青色など、その他の色であってもよい。
【００５７】
＜編集ユニットの構成＞
図５は、編集ユニット１２の正面側（編集空間Ａ２−１側）の構成例を示す図である。
【００５８】
斜面１２Ｂのほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００５９】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６０】
図６は、編集ユニット１２の右側面の構成例を示す図である。
【００６１】
編集ユニット１２の右側面の一部を構成するパネル７２には、タブレット内蔵モニタ１４１が設けられる。タブレット内蔵モニタ１４１には、事後選択作業に用いられる画面が表示される。
【００６２】
編集ユニット１２の右側面の下部には、シール紙排出口１４２が設けられる。編集ユニット１２の内部にはプリンタが設けられている。そのプリンタにより、編集空間Ａ２−１の利用者が写る画像、または、編集空間Ａ２−２の利用者が写る画像が所定のレイアウト（以下、シールレイアウトという）でシール紙に印刷され、シール紙排出口１４２から排出される。
【００６３】
タブレット内蔵モニタ１４１の下方には、スピーカ１４３が設けられる。スピーカ１４３は、事後選択作業に関する案内音声、BGM、効果音等などを出力する。
【００６４】
＜写真シール作成装置の内部構成＞
図７は、写真シール作成装置１の内部の構成例を示すブロック図である。図７において、上述した構成と同じ構成には同じ符号を付してある。重複する説明については適宜省略する。
【００６５】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ，２０９Ｂ、および事後選択部２１０の各構成も接続される。
【００６６】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００６７】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００６８】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００６９】
ROM２０６は、制御部２０１において実行されるプログラムやデータを記憶する。RAM２０７は、制御部２０１が処理するデータやプログラムを一時的に記憶する。
【００７０】
撮影部２０８は、撮影空間Ａ１にいる利用者を対象とした撮影処理を実現する。撮影部２０８は、硬貨処理部２２１、照明装置２２２、カメラ９１、タッチパネルモニタ９３、およびスピーカ２２３から構成される。
【００７１】
硬貨処理部２２１は、硬貨投入口８７への硬貨の投入を検出する。硬貨処理部２２１は、例えば４００円などの所定の金額分の硬貨が投入されたことを検出した場合、ゲームの開始を指示する起動信号を制御部２０１に出力する。
【００７２】
照明装置２２２は、撮影空間Ａ１内の各ストロボユニットであり、制御部２０１から供給される照明制御信号に従って発光する。
【００７３】
カメラ９１は、制御部２０１によるシャッタ制御に従って撮影を行い、撮影によって得られた撮影画像（画像データ）を制御部２０１に出力する。
【００７４】
編集部２０９Ａは、編集空間Ａ２−１にいる利用者を対象とした編集処理を実現する。編集部２０９Ａは、タブレット内蔵モニタ１３１、タッチペン１３２Ａ，１３２Ｂ、およびスピーカ２３１から構成される。編集部２０９Ｂは、編集空間Ａ２−２にいる利用者を対象とした編集処理を実現し、編集部２０９Ａと同一の構成を有する。なお、以下、編集部２０９Ａ，２０９Ｂを特に区別しない場合には、単に、編集部２０９という。
【００７５】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７６】
事後選択部２１０は、印刷待ち空間Ａ３にいる利用者を対象とした事後選択処理を実現する。事後選択処理は、事後選択作業を利用者に行わせるための処理である。事後選択部２１０は、タブレット内蔵モニタ１４１、スピーカ１４３、およびプリンタ２４１から構成される。プリンタ２４１にはシール紙ユニット２４２が装着される。
【００７７】
タブレット内蔵モニタ１４１は、制御部２０１による制御に従って各種の選択画面等を表示し、その画面に対する利用者の操作を受け付ける。利用者の操作の内容を表す入力信号は制御部２０１に供給され、各種の設定が行われる。
【００７８】
プリンタ２４１は、制御部２０１から供給された印刷データに基づいて、シール紙ユニット２４２に収納されているシール紙に編集画像を印刷する。プリンタ２４１は、編集画像を所定のシールレイアウトで印刷したシール紙を、シール紙排出口１４２に排出する。
【００７９】
＜制御部の構成＞
図８は、制御部２０１の機能構成例を示すブロック図である。図８に示す機能部のうちの少なくとも一部は、制御部２０１内のCPUにより所定のプログラムが実行されることによって実現される。
【００８０】
制御部２０１は、撮影処理部３０１、編集処理部３０２、印刷処理部３０３、および事後選択処理部３０４から構成される。
【００８１】
撮影処理部３０１は、撮影部２０８の各部を制御することで、撮影処理を行う。編集処理部３０２は、編集部２０９の各部を制御することで、編集処理を行う。印刷処理部３０３は、事後選択部２１０のプリンタ２４１を制御することで、印刷処理を行う。事後選択処理部３０４は、事後選択部２１０のタブレット内蔵モニタ１４１を制御することで、事後選択処理を行う。
【００８２】
＜写真シール作成装置の動作＞
ここで、図１０のフローチャートを参照して、写真シール作成ゲームを提供する写真シール作成装置１の動作について説明する。図１０の処理は、所定の金額分の硬貨が硬貨投入口８７に投入されたときに開始される。
【００８３】
ステップＳ１において、撮影処理部３０１は、撮影部２０８を制御することで、撮影処理を行う。具体的には、撮影処理部３０１は、カメラ９１に取り込まれた被写体のライブビュー画像をタッチパネルモニタ９３に表示させ、撮影空間Ａ１にいる利用者を被写体として撮影し、撮影画像を生成する。
【００８４】
ステップＳ２において、編集処理部３０２は、撮影処理を終えた利用者の移動先とした方の編集空間に対応する編集部２０９を制御することで、編集処理を行う。具体的には、編集処理部３０２は、撮影処理により得られた撮影画像に対して利用者に編集作業を行わせることで、編集が施された編集画像を生成する。
【００８５】
ステップＳ３において、印刷処理部３０３は、プリンタ２４１を制御することで、印刷処理を開始する。具体的には、印刷処理部３０３は、編集処理により得られた編集画像を、プリンタ２４１に出力してシール紙に印刷させる。なお、撮影処理により得られた撮影画像が、シール紙に印刷されるようにしてもよい。
【００８６】
ステップＳ４において、事後選択処理部３０４は、タブレット内蔵モニタ１４１を制御することで、事後選択処理を行う。具体的には、事後選択処理部３０４は、印刷が終わるのを待っている利用者に事後選択作業を行わせ、選択された撮影画像や編集画像を利用者の携帯端末に送信するために、その画像をサーバに送信する。
【００８７】
印刷が終了すると、ステップＳ５において、プリンタ２４１は、画像が印刷されたシール紙をシール紙排出口１４２に排出し、処理を終了させる。
【００８８】
ここで、上述した写真シール作成処理のステップＳ２において表示される編集画面の詳細について説明する。
【００８９】
＜編集画面の例＞
図１０は、タブレット内蔵モニタ１３１に表示される編集画面の例を示す図である。
【００９０】
編集画面は、領域４０１，４０２Ｌ，４０２Ｒから構成される。領域４０１は、編集画面の中央に形成された縦長の領域である。領域４０２Ｌは、タブレット内蔵モニタ１３１に向かって左側にいる利用者により用いられる領域である。領域４０２Ｒは、タブレット内蔵モニタ１３１に向かって右側にいる利用者により用いられる領域である。領域４０２Ｌおよび領域４０２Ｒには、主な構成が左右対称に設けられる。なお、各領域を示す破線は、画面に実際に表示されるものではない。
【００９１】
以下、編集画面の左側の領域４０２Ｌについて説明する。
【００９２】
領域４０２Ｌの中央上方には、サムネイル表示領域４１１Ｌが設けられる。サムネイル表示領域４１１Ｌは、撮影画像を表すサムネイル画像の表示領域である。利用者は、サムネイル表示領域４１１Ｌに表示されているサムネイル画像を選択することによって、編集対象とする撮影画像を選択する。
【００９３】
図１０の例では、５枚の撮影画像を表すサムネイル画像がサムネイル表示領域４１１Ｌに並んで表示されている。また、左端のサムネイル画像が選択されることによって、１枚目の撮影画像が編集対象とされている。
【００９４】
領域４０２Ｌの略中央には、編集領域４１２Ｌが設けられる。編集領域４１２Ｌは、編集対象として選択された撮影画像の表示領域である。利用者は、タッチペン１３２Ａを用いて編集ツールを選択し、編集領域４１２Ｌに表示された撮影画像の編集を行う。
【００９５】
編集領域４１２Ｌの左側には、メイクパレット４１３Ｌが表示される。メイクパレット４１３Ｌは、メイクツールを選択するためのアイコンの表示領域である。メイクパレット４１３Ｌは、編集画面が表示されている間、常時表示される。
【００９６】
編集領域４１２Ｌの下方には、編集パレット４１４Ｌが表示される。編集パレット４１４Ｌは、ペンツール、スタンプツールなどの各種の編集ツール（合成用画像）の選択に用いられるボタンなどが表示される領域である。
【００９７】
図１０の例では、「スタンプ」、「おすすめ」、「メッセージ」、「ペン」、「変身」の各編集ツールが用意されている。利用者は、それぞれの名前が付されたタブを操作することによって、編集パレット４１４Ｌに表示される編集ツールを切り替える。例えば、「スタンプ」の名前が付されたタブは、スタンプツールを選択するときに操作されるタブであり、「ペン」の名前が付されたタブは、ペンツールを選択するときに操作されるタブである。
【００９８】
図１０に示されるように、「スタンプ」の名前が付されたタブが選択され、スタンプツールが選択されたとき、スタンプツールを選択するためのアイコンが編集パレット４１４Ｌに表示される。
【００９９】
編集領域４１２Ｌの右側には、修正ツール選択領域４１５Ｌが設けられる。修正ツール選択領域４１５Ｌは、消しゴムツールの選択に用いられるボタン、１つ前または１つ後の作業に戻るときに操作されるボタンなどが縦に並んで表示される領域である。消しゴムツールは、入力した編集を消すときに用いられるツールである。
【０１００】
修正ツール選択領域４１５Ｌの上方には、終了ボタン４１６Ｌが表示される。終了ボタン４１６Ｌは、編集作業を終了するときに操作されるボタンである。
【０１０１】
領域４０２Ｒには、以上のような領域４０２Ｌの構成と同じ構成が位置を対称にして配置される。
【０１０２】
領域４０１の上部には、編集作業が可能な残り時間が表示される。その残り時間の下には、縦長の枠で囲まれた形の一発落書きボタン４２１が表示される。一発落書きボタン４２１は、あらかじめ決められた複数の編集ツール（合成用画像）を、編集対象の撮影画像に一括して合成するときに操作されるボタンである。利用者は、一発落書きボタン４２１を操作することにより、その都度、編集ツールを選択したり、選択した編集ツールに応じた合成用画像の合成位置を指定したりする必要がない。
【０１０３】
一発落書きボタン４２１の下方には、スマートフォンの外観を模した２つの携帯おまけボタン４２２が左右に並んで表示される。左側の携帯おまけボタン４２２は、タブレット内蔵モニタ１３１に向かって左側にいる利用者により操作され、右側の携帯おまけボタン４２２は、タブレット内蔵モニタ１３１に向かって右側にいる利用者により操作される。携帯おまけボタン４２２が操作されると、携帯おまけの作成を行うことができる。携帯おまけは、携帯端末の待ち受け画像や、メールに添付されたり、ブログを含むSNS（Social Networking System）にアップロードされたりする画像など、携帯端末上で用いられることを前提とした画像である。作成された携帯おまけは、携帯送信用の画像としてサーバに送信される。
【０１０４】
携帯おまけボタン４２２の下方には、編集作業中のBGMの設定を行うときに操作されるボタンなども表示される。
【０１０５】
このような編集画面により、主に２人の利用者が同時に編集作業を行うことができる。
【０１０６】
＜本技術の写真シール作成装置の機能構成例＞
次に、図１１を参照して、本実施の形態の写真シール作成装置１の機能構成例について説明する。
【０１０７】
本実施の形態の写真シール作成装置１は、上述したように、携帯おまけの作成を行う機能を有している。
【０１０８】
図１１に示される写真シール作成装置１は、表示制御部５１１、モニタ５１２、操作受付部５１３、トリミング処理部５１４、加工処理部５１５、および画像処理部５１６を備えている。
【０１０９】
表示制御部５１１は、モニタ５１２の表示を制御する。表示制御部５１１は、例えば、撮影処理部３０１により生成された撮影画像に対する編集作業に用いられる編集画面を、モニタ５１２に表示する。
【０１１０】
モニタ５１２は、編集空間Ａ２−１，Ａ２−２内に設けられるタブレット内蔵モニタ１３１に対応する。
【０１１１】
操作受付部５１３は、モニタ５１２に対する操作入力を受け付ける。操作受付部５１３は、受け付けた操作入力に対応する信号を、トリミング処理部５１４、加工処理部５１５、および画像処理部５１６に供給する。
【０１１２】
トリミング処理部５１４は、操作受付部５１３からの信号に応じたトリミング処理を、表示制御部５１１により表示される撮影画像に施す。
【０１１３】
加工処理部５１５は、操作受付部５１３からの信号に応じた加工処理を、表示制御部５１１により表示される撮影画像に施す。
【０１１４】
画像処理部５１６は、画像処理の１つとして、操作受付部５１３からの信号に応じたぼかし処理を、表示制御部５１１により表示される撮影画像に施す。
【０１１５】
＜携帯おまけ作成処理について＞
次に、図１２のフローチャートを参照して、編集画面において、携帯おまけボタン４２２が操作されたときに実行される携帯おまけ作成処理について説明する。以下においては、タブレット内蔵モニタ１３１に向かって左側の利用者により携帯おまけボタン４２２が操作された場合の処理について説明する。
【０１１６】
携帯おまけボタン４２２が操作されると、ステップＳ１１において、表示制御部５１１は、編集画面の左側の領域４０２Ｌに、トリミング画面を表示させる。トリミング画面は、携帯おまけとなる撮影画像を選択させたり、選択された撮影画像においてトリミングされる領域（トリミング領域）を選択させる画面である。
【０１１７】
図１３は、トリミング画面の例を示す図である。
【０１１８】
トリミング画面の上部には、トリミング枠選択領域５３１が設けられる。トリミング枠選択領域５３１は、後述するトリミング枠５３３Ａのアスペクト比（以下、横縦比という）を、４：３，１：１（正方形），３：４，９：１６の４種類の中から選択させるための領域である。
【０１１９】
トリミング枠選択領域５３１の下側には、画像選択領域５３２が設けられる。画像選択領域５３２は、携帯おまけの編集対象となる例えば５枚の撮影画像のサムネイル画像が表示される領域である。画像選択領域５３２から選択された撮影画像が、携帯おまけの編集対象となる。
【０１２０】
画像選択領域５３２の下方には、画像表示部５３３が設けられる。画像表示部５３３は、画像選択領域５３２から選択された撮影画像が拡大されて表示される表示領域である。
【０１２１】
画像表示部５３３に表示された撮影画像には、トリミング枠選択領域５３１において選択された横縦比のトリミング枠５３３Ａが重ねて表示される。
【０１２２】
トリミング枠５３３Ａは、ある一定の大きさで表示され、デフォルトの状態では、画像表示部５３３の中心に表示される。なお、画像表示部５３３に表示される撮影画像に対して顔検出処理を行うようにし、トリミング枠５３３Ａが、デフォルトの状態で、検出された顔の位置を中心に表示されるようにしてもよい。
【０１２３】
利用者が、タッチペン１３２Ａを用いて、トリミング枠５３３Ａの四隅に表示される矢印形のアイコンのいずれかを、トリミング枠５３３Ａの外側に向けてドラッグすることにより、横縦比固定でトリミング枠５３３Ａが拡大される。また、トリミング枠５３３Ａが拡大された状態で、利用者が、タッチペン１３２Ａを用いて、トリミング枠５３３Ａの四隅に表示される矢印形のアイコンのいずれかを、トリミング枠５３３Ａの内側に向けてドラッグすることにより、横縦比固定でトリミング枠５３３Ａが縮小される。さらに、利用者が、タッチペン１３２Ａを用いて、トリミング枠５３３Ａの中央に表示される手の形のアイコン、またはトリミング枠５３３Ａの四辺のいずれかを所定の方向へドラッグすることにより、トリミング枠５３３Ａがその方向へ移動される。
【０１２４】
なお、トリミング枠５３３Ａの拡大サイズは、撮影画像の原画像のサイズを上限とし、縮小サイズは、例えば、利用者が見て不自然と感じないサイズを下限とする。
【０１２５】
また、画像表示部５３３の右側には、トリミング画像表示部５３４が設けられる。トリミング画像表示部５３４は、携帯電話機（スマートフォン）の外観を表す画像のうちのディスプレイの部分に形成されている。トリミング画像表示部５３４は、画像表示部５３３に表示されている撮影画像におけるトリミング枠５３３Ａ内の領域が表示される。
【０１２６】
トリミング画面において、トリミング枠５３３Ａのサイズと位置が選択され、決定ボタン５３５が操作されると、ステップＳ１２において、トリミング処理部５１４は、画像表示部５３３に表示されている撮影画像を、トリミング枠５３３Ａでトリミングする。
【０１２７】
なお、決定ボタン５３５の右側に表示される、やめるボタン５３６が操作されると、トリミング画面は閉じられ、携帯おまけ作成処理は終了する。
【０１２８】
ステップＳ１２の後、処理はステップＳ１３に進む。ステップＳ１３において、表示制御部５１１は、トリミング画面に続いて、加工画面を表示させる。加工画面は、携帯おまけの編集対象となる撮影画像に、各種の加工処理を施すための画面である。
【０１２９】
図１４は、加工画面の例を示す図である。
【０１３０】
加工画面の上部には、フィルタ表示領域５４１が設けられる。フィルタ表示領域５４１には、撮影画像に重畳して合成される、所定の質感および／または色のレイヤ画像（フィルタ）が、複数表示される。
【０１３１】
フィルタ表示領域５４１の下には、加工画像表示領域５４２が設けられる。加工画像表示領域５４２には、トリミングされた撮影画像に対して、画像の一部または全体の色情報（トーンカーブ、輝度値、コントラスト等）を変更する色情報変更処理が施された画像が表示される。図１４の例では、加工画像表示領域５４２に表示されている９枚の撮影画像のうち、左上の撮影画像を除いた撮影画像それぞれに、異なる色情報変更処理が施される。
【０１３２】
加工画像表示領域５４２の下には、加工画像表示領域５４３が設けられる。加工画像表示領域５４２には、縮小された４枚の撮影画像からなる４枚合成画像に対して、上述した色情報変更処理が施された画像が表示される。４枚合成画像を構成する４枚の撮影画像は、それぞれ異なる撮影画像ではなく、同一の撮影画像とされる。４枚合成画像を構成する４枚の撮影画像それぞれには、異なる色情報変更処理が施される。図１４の例では、４枚合成画像が３枚、加工画像表示領域５４３に表示される。
【０１３３】
フィルタ表示領域５４１においてフィルタが選択され、加工画像表示領域５４２において撮影画像が１枚選択されるか、または、加工画像表示領域５４３において４枚合成画像が１枚選択された状態で、決定ボタン５４４が操作されると、ステップＳ１４において、加工処理部５１５は、選択された撮影画像または４枚合成画像に対して、加工処理として、対応する色情報変更処理と、選択されたフィルタの合成処理とを施す。
【０１３４】
なお、決定ボタン５４４の左側に表示される、もどるボタン５４５が操作されると、表示されている加工画面の表示が、１つ前の画面（トリミング画面）に戻る。また、決定ボタン５４４の右側に表示される、やめるボタン５４６が操作されると、加工画面は閉じられ、携帯おまけ作成処理は終了する。
【０１３５】
ステップＳ１４の後、処理はステップＳ１５に進む。ステップＳ１５において、表示制御部５１１は、加工画面に続いて、選択されたトリミング枠の横縦比に応じたぼかし調整画面を表示させる。ぼかし調整画面は、携帯おまけの編集対象となる撮影画像に、ぼかし処理を施すための画面である。
【０１３６】
図１５は、トリミング画面において横縦比が４：３のトリミング枠が選択された場合のぼかし調整画面の例を示す図である。
【０１３７】
ぼかし調整画面の略中央には、画像表示部５５１が設けられる。画像表示部５５１には、トリミング処理によって横縦比が４：３のトリミング枠でトリミングされ、加工処理が施された撮影画像が表示される。撮影画像が表示される画像表示部５５１は、トリミング画面において決定されたトリミング枠のサイズに応じて拡大／縮小されて表示される。
【０１３８】
画像表示部５５１の上方には、ぼかしON/OFFボタン５５２およびスライダ５５３が設けられる。ぼかしON/OFFボタン５５２は、画像表示部５５１に表示されている撮影画像に対するぼかし処理をON/OFFするときに操作されるボタンである。スライダ５５３は、ぼかし処理のぼかし具合に対応するパラメータを調整するために操作されるGUIのパーツの１つである。図１５の例では、スライダ５５３は、横方向（水平方向）に表示されている。
【０１３９】
ぼかしON/OFFボタン５５２によって、ぼかし処理がONされた状態で、タッチペン１３２Ａにより、スライダ５５３が＋側（図中右側）に操作される程、画像表示部５５１に表示されている撮影画像は、人物領域に対して強いぼかし具合のぼかし処理が施された状態となる。また、タッチペン１３２Ａにより、スライダ５５３が−側（図中左側）に操作される程、画像表示部５５１に表示されている撮影画像は、人物領域に対して弱いぼかし具合のぼかし処理が施された状態となる。
【０１４０】
すなわち、スライダ５５３が操作されると、ステップＳ１６において、画像処理部５１６は、スライダ５５３が操作されることで調整されるパラメータに応じたぼかし具合のぼかし処理を、画像表示部５５１に表示されている撮影画像に施す。
【０１４１】
なお、ぼかしON/OFFボタン５５２によって、ぼかし処理がOFFされた状態では、スライダ５５３は、グレーアウト表示され、操作されないようになされる。
【０１４２】
画像表示部５５１の下方左側には、消しゴムツール５５４が設けられる。消しゴムツール５５４は、画像表示部５５１に表示されている撮影画像の人物領域に対して施されたぼかし処理（ぼかし）を消すときに用いられるツールである。図１５の例では、消しゴムツール５５４は、横向きに表示されている。
【０１４３】
スライダ５５３によってぼかし具合が調整された状態で、画像表示部５５１の下方右側に設けられる決定ボタン５５５が操作されると、画像表示部５５１に表示されている撮影画像が携帯おまけとして保存され、携帯おまけ作成処理は終了する。
【０１４４】
また、決定ボタン５５５の右側に表示される、もどるボタン５５６が操作されると、表示されているぼかし調整画面の表示が、１つ前の画面（加工画面）に戻る。また、ぼかし調整画面の右下に表示される、やめるボタン５５７が操作されると、ぼかし調整画面は閉じられ、携帯おまけ作成処理は終了する。
【０１４５】
なお、上述したように、携帯おまけ作成処理においては、選択されたトリミング枠の横縦比に応じたぼかし調整画面が表示される。
【０１４６】
図１６は、トリミング画面において横縦比が１：１（正方形）のトリミング枠が選択された場合のぼかし調整画面の例を示す図である。
【０１４７】
図１６の例では、画像表示部５５１に、トリミング処理によって横縦比が１：１のトリミング枠でトリミングされた撮影画像が表示される。また、図１６の例では、ぼかしON/OFFボタン５５２と、横方向（水平方向）のスライダ５５３とが、図１５の例と同様、画像表示部５５１の上方に設けられる。
【０１４８】
なお、図１６の例では、消しゴムツール５５４、決定ボタン５５５、およびもどるボタン５５６は、図１５の例と異なり、画像表示部５５１の左側に設けられる。特に、消しゴムツール５５４は、縦向きに表示されている。
【０１４９】
図１７は、トリミング画面において横縦比が３：４のトリミング枠が選択された場合のぼかし調整画面の例を示す図である。
【０１５０】
図１７の例では、画像表示部５５１に、トリミング処理によって横縦比が３：４のトリミング枠でトリミングされた撮影画像が表示される。また、図１７の例では、ぼかしON/OFFボタン５５２と、横方向（水平方向）のスライダ５５３とが、図１６の例と同様、画像表示部５５１の上方に設けられる。
【０１５１】
さらに、図１７の例では、消しゴムツール５５４、決定ボタン５５５、およびもどるボタン５５６もまた、図１６の例と同様、画像表示部５５１の左側に設けられる。
【０１５２】
図１８は、トリミング画面において横縦比が９：１６のトリミング枠が選択された場合のぼかし調整画面の例を示す図である。
【０１５３】
図１８の例では、画像表示部５５１に、トリミング処理によって横縦比が９：１６のトリミング枠でトリミングされた撮影画像が表示される。また、図１８の例では、ぼかしON/OFFボタン５５２およびスライダ５５３は、図１５乃至図１７の例と異なり、画像表示部５５１の左方に設けられる。特に、スライダ５５３は、縦方向（垂直方向）に表示されている。
【０１５４】
また、図１８の例では、消しゴムツール５５４、決定ボタン５５５、およびもどるボタン５５６は、図１５乃至図１７の例と異なり、画像表示部５５１の右側に設けられる。
【０１５５】
このように、選択されたトリミング枠の横縦比が所定の横縦比より横長の場合、横方向のスライダ５５３が表示され、選択されたトリミング枠の横縦比が所定の横縦比より縦長の場合、縦方向のスライダ５５３が表示される。
【０１５６】
例えば、所定の横縦比より横長の撮影画像や正方形の撮影画像に対して、縦方向のスライダが表示された場合、利用者は、スライダの向きに従って、縦方向にタッチペンを操作することになる。この場合、利用者のタッチペンの持ち方や、利用者の利き手によっては、その撮影画像が、利用者自身の手や腕の陰に隠れてしまうおそれがある。
【０１５７】
以上の処理によれば、ぼかし処理が施される撮影画像の横縦比に応じて、ぼかし具合に対応するパラメータを調整するためのスライダの向きや表示位置が変わるので、利用者がスライダを操作する際に、その撮影画像が、利用者自身の手や腕の陰に隠れてしまうことを防ぐことができる。その結果、編集作業における利用者の操作性の向上を図ることが可能となる。
【０１５８】
特に、選択されたトリミング枠の横縦比が所定の横縦比より縦長の場合、図１８に示されるように、縦方向のスライダ５５３より、画像表示部５５１に表示される横縦比が９：１６の撮影画像の方が、縦方向に長くなっている。この場合、利用者がスライダ５５３を操作する際に、その撮影画像が、利用者自身の手や腕の陰に隠れてしまう割合をより小さくすることができる。
【０１５９】
また、ぼかし具合に対応するパラメータを調整するためのGUIとしてボタンを用いた場合、段階的なパラメータの設定しかできず、ぼかし具合を細かく調整することはできない。そこで、ぼかし具合に対応するパラメータを調整するためのGUIとしてスライダを用いることで、写真シール作成ゲームに慣れていない利用者であっても、直感的に、パラメータを細かく調整することができる。
【０１６０】
さらに、上述のようにして作成される携帯おまけ（撮影画像）は、SNSにアップロードされる。しかしながら、写真シール機の主な利用者である女子中高生にとって、例えば制服や顔が鮮明に写る携帯おまけがSNSにアップロードされることは、個人が特定されることにつながるおそれがあり、好ましくない。そこで、上述したスライダにより、利用者は、ぼかし具合に対応するパラメータを細かく調整することで、適度にぼかし処理が施された携帯おまけをSNSにアップロードすることができる。これにより、個人が特定されることを避けることができる。
【０１６１】
また、図１９に示されるように、例えば、横縦比が１：１（正方形）のトリミング枠が選択された場合のぼかし調整画面において、ぼかしON/OFFボタン５５２と、横方向（水平方向）のスライダ５５３とが、画像表示部５５１の下方に設けられるようにしてもよい。これにより、利用者がスライダを操作する際に、その撮影画像が、利用者自身の手や腕の陰に隠れてしまうことをより確実に防ぐことができる。
【０１６２】
以上においては、トリミング画面において、トリミング枠のサイズが決定された後、ぼかし画面において、そのトリミング枠でトリミングされた撮影画像とスライダとが同時に表示される構成について説明した。
【０１６３】
以下においては、トリミング画面において、トリミング枠が表示された撮影画像とスライダとが同時に表示される構成について説明する。
【０１６４】
＜トリミング画面の他の例＞
図２０は、トリミング画面の他の例を示す図である。
【０１６５】
図２０に示されるトリミング画面の構成は、基本的には、図１３を参照して説明したトリミング画像の構成と同様である。
【０１６６】
ただし、図２０の例では、画像表示部５３３に表示された撮影画像に、トリミング枠選択領域５３１において選択された横縦比のトリミング枠５３３Ａに加え、ぼかしON/OFFボタン５６１およびスライダ５６２が重畳して表示されている。ぼかしON/OFFボタン５６１は、画像表示部５３３に表示されているトリミング枠５３３Ａ内の撮影画像に対するぼかし処理をON/OFFするときに操作されるボタンである。スライダ５６２は、ぼかし処理のぼかし具合に対応するパラメータを調整するために操作されるGUIのパーツである。
【０１６７】
この構成においても、選択されたトリミング枠の横縦比に応じて、スライダ５６２の向きおよび表示位置が変化する。
【０１６８】
具体的には、横縦比が１：１（正方形）のトリミング枠が選択された場合、図２０に示されるように、トリミング枠５３３Ａの下方に、ぼかしON/OFFボタン５６１と、横方向（水平方向）のスライダ５６２が表示される。なお、横縦比が４：３や３：４のトリミング枠が選択された場合にも、トリミング枠５３３Ａの下方に、ぼかしON/OFFボタン５６１と、横方向（水平方向）のスライダ５６２が表示されるものとする。
【０１６９】
また、横縦比が９：１６のトリミング枠が選択された場合には、図２１に示されるように、トリミング枠５３３Ａの左方に、ぼかしON/OFFボタン５６１と、縦方向（垂直方向）のスライダ５６２が表示される。
【０１７０】
以上の構成においても、ぼかし処理が施される撮影画像の横縦比に応じて、ぼかし具合に対応するパラメータを調整するためのスライダの向きおよび表示位置が変わるので、利用者がスライダを操作する際に、その撮影画像が、利用者自身の手や腕の陰に隠れてしまうことを防ぐことができる。その結果、編集作業における利用者の操作性の向上を図ることが可能となる。
【０１７１】
なお、上述した構成において、ぼかしON/OFFボタン５６１やスライダ５６２が常に表示されていると、利用者が撮影画像全体を確認するのに邪魔になるおそれがある。そこで、タッチペン１３２Ａがトリミング画面（タブレット内蔵モニタ１３１）に接触している間のみ、ぼかしON/OFFボタン５６１やスライダ５６２が表示されるようにしてもよい。また、タッチペン１３２Ａがトリミング画面に接触してから、トリミング画面から離れて所定時間（数秒程度）経過後までの間、ぼかしON/OFFボタン５６１やスライダ５６２が表示されるようにしてもよい。
【０１７２】
＜撮影画像の横縦比の選択について＞
以上においては、携帯おまけとなる撮影画像の横縦比が選択される例について説明してきた。しかしながら、撮影画像の横縦比が選択されるタイミングは、上述した例に限定されるものではない。
【０１７３】
（撮影の種類選択時に撮影画像の横縦比を選択する例）
撮影の種類を選択する際に、撮影画像の横縦比が選択されるようにしてもよい。この場合、例えば、撮影処理において撮影の種類が選択されるものとする。また、撮影処理において、例えば５回行われる撮影として、アップ撮影と全身撮影とが行われるものとする。アップ撮影は、主に利用者の顔および上半身を撮影するための撮影であり、全身撮影は、利用者の全身を撮影するための撮影である。
【０１７４】
さらに、全身撮影には、２種類の撮影アングルで行われる全身撮影があるものとする。具体的には、全身撮影には、利用者の全身を利用者の正面から撮影する正面全身撮影と、利用者の全身を利用者の斜め上から撮影する上から全身撮影の２種類があるものとする。
【０１７５】
図２２は、全身撮影種類選択画面の例を示す図である。
【０１７６】
全身撮影種類選択画面の上方には、「全身撮影の種類を選んでね」のメッセージが表示され、その下に、１乃至５回の撮影により得られる撮影画像のサンプルとなるモデル画像が表示されるモデル画像表示領域５７１−１乃至５７１−５が設けられる。
【０１７７】
全身撮影種類選択画面が表示されたとき、モデル画像表示領域５７１−１乃至５７１−５のうち、アップ撮影が行われる回に対応するモデル画像表示領域には、モデルを被写体とした、モデルの顔および上半身が写るアップ画像が表示される。
【０１７８】
図２２の例では、モデル画像表示領域５７１−１，５７１−２に、モデルを被写体としたアップ画像が表示されているので、撮影処理において行われる１乃至５回の撮影のうち、１回目と２回目の撮影としてアップ撮影が行われることになる。
【０１７９】
この場合、モデル画像表示領域５７１−３乃至５７１−５には、モデルを被写体とした、モデルの全身が写る全身画像が表示されることになるが、全身撮影種類選択画面においては、全身撮影枚数選択画面において利用者に選択された回数だけ行われる全身撮影それぞれの種類が利用者に選択されるようになされている。
【０１８０】
すなわち、図２２の例では、３回行われる全身撮影のそれぞれについて、全身撮影の種類が利用者に選択される。具体的には、図２２の例においては、モデル画像表示領域５７１−３乃至５７１−５の下側に表示されている吹き出し状の矩形により、モデル画像表示領域５７１−３が指示されており、その吹き出し状の矩形内に、モデル画像表示領域５７１−３に対応する全身撮影の種類として、正面全身撮影を選択させるためのボタン５７２と、上から全身撮影を選択させるためのボタン５７３とが表示されている。
【０１８１】
ボタン５７２には、モデルの全身がその正面から写されたモデル画像（正面全身画像）が表示され、ボタン５７３には、モデルの全身がその斜め上から写されたモデル画像（上から全身画像）が表示される。
【０１８２】
図２２に示されるように、ボタン５７２に表示される正面全身画像と、ボタン５７３に表示される上から全身画像とは、横縦比が異なる。すなわち、図２２の例では、ボタン５７２またはボタン５７３を選択することにより、撮影画像の横縦比が選択されるようになる。
【０１８３】
（シールレイアウト選択時に撮影画像の横縦比を選択する例）
シールレイアウトを選択する際に、撮影画像の横縦比が選択されるようにしてもよい。この場合、例えば、撮影処理においてシールレイアウトが選択されるものとする。
【０１８４】
図２３は、シールレイアウト選択画面の例を示す図である。
【０１８５】
シールレイアウト選択画面の上方には、「シールレイアウトを選んでね」のメッセージが表示され、その下に、モデル画像が配置されたシールレイアウト画像５８１乃至５８４が表示される。
【０１８６】
シールレイアウト画像は、複数の撮影画像が配置されてシール紙に印刷される画像である。シールレイアウト画像において撮影画像が配置される領域（以下、撮影画像配置領域という）以外の領域には、デザイン性に富んだ文字や図柄などが配置される。シールレイアウト画像には、撮影画像は含まれず、シール紙には、シールレイアウト画像の撮影画像配置領域に撮影画像が配置されて合成された合成画像が印刷される。なお、このシールレイアウト画像の撮影画像配置領域に撮影画像が配置されて合成された合成画像は、サーバを介して、利用者の携帯端末に送信されるようにしてもよい。
【０１８７】
シールレイアウト選択画面には、シールレイアウト画像が、シールレイアウト画像に配置される撮影画像によって、「アップのみ」、「アップと全身」、「全身のみ」といったタブ毎に分類されて表示されるようになされている。「アップのみ」タブが選択された場合、アップ画像のみが配置されるシールレイアウト画像が表示され、「アップと全身」タブが選択された場合、アップ画像と全身画像が配置されるシールレイアウト画像が表示される。また、「全身のみ」タブが選択された場合、全身画像のみが配置されるシールレイアウト画像が表示される。
【０１８８】
図２３に示されるように、例えばシールレイアウト画像５８２に配置されるアップ画像と全身画像とは、横縦比が異なる。すなわち、図２３の例では、シールレイアウト画像５８１乃至５８４のいずれかを選択することにより、撮影画像の横縦比が選択されるようになる。
【０１８９】
（その他）
上述した例の他にも、撮影に関するコースを選択する際に、撮影画像の横縦比が選択されるようにしてもよい。この場合、撮影に関するコースを選択するためのコース選択画面に、それぞれのコースにより得られる撮影画像の見本となるモデル画像が表示されるようにする。そして、いずれかのモデル画像が選択されることで、撮影に関するコースが選択されるようになる。
【０１９０】
このとき、コース選択画面に表示されるモデル画像それぞれは、横縦比が異なるようにする。これにより、撮影に関するコースを選択することにより、撮影画像の横縦比が選択されるようになる。
【０１９１】
＜スライダにより調整されるパラメータの他の例＞
以上においては、スライダにより、ぼかし処理のぼかし具合に対応するパラメータが調整される例について説明してきた。しかしながら、スライダにより調整されるパラメータは、上述した例に限定されるものではない。
【０１９２】
（拡大率／縮小率）
スライダにより、例えば、図１５などに示される画像表示部５５１に対する、撮影画像の相対的な拡大／縮小の拡大率／縮小率に対応するパラメータが調整されるようにしてもよい。これにより、撮影画像においてトリミングされた領域を修正することができる。
【０１９３】
（移動量）
スライダにより、例えば、図１５などに示される画像表示部５５１に対する、撮影画像の相対的な移動の移動量に対応するパラメータが調整されるようにしてもよい。例えば、画像表示部５５１上、撮影画像の被写体が右側に偏って写っている場合、横方向のスライダが左方向に操作されることで、その操作量に対応する移動量だけ、撮影画像が、画像表示部５５１に対して相対的に移動されるようになる。なお、移動方向を指定するボタンなどを設けることにより、任意の方向に移動されるようにしてもよい。
【０１９４】
（回転量）
スライダにより、例えば、図１５などに示される画像表示部５５１に対する、撮影画像の相対的な回転の回転量に対応するパラメータが調整されるようにしてもよい。
【０１９５】
（顔に対する画像処理のパラメータ）
スライダにより、例えば、撮影画像における顔に対する画像処理のパラメータが調整されるようにしてもよい。ここでいう顔に対する画像処理は、肌領域において特定の色相のみを調整する処理、肌領域をぼかす美肌処理、肌領域を白くする美白処理、目のサイズや色を調整する処理、まつ毛の量（濃さ）を調整する処理などとされる。
【０１９６】
（その他）
さらに、スライダにより、撮影画像において編集された部分に対する画像処理のパラメータが調整されるようにしてもよい。例えば、編集処理により、撮影画像に写る利用者の唇部分に艶を出すような唇画像が合成された場合、スライダが操作されることで、唇画像の艶の程度が調整されるようにする。また、編集処理により、撮影画像に所定のスタンプ画像が合成された場合、スライダが操作されることで、そのスタンプ画像の透過度が調整されるようにしてもよい。
【０１９７】
＜矩形でない形状でのトリミング＞
以上においては、撮影画像は、矩形のトリミング枠でトリミングされるものとした。以下においては、撮影画像が、矩形でない形状のトリミング枠でトリミングされる例について説明する。
【０１９８】
図２４は、トリミング画面の他の例を示す図である。
【０１９９】
図２４に示されるトリミング画面の構成は、基本的には、図１３を参照して説明したトリミング画像の構成と同様である。
【０２００】
ただし、図２４の例では、トリミング枠選択領域５３１に、横縦比が４：３，１：１，３：４，９：１６の４種類の矩形のトリミング枠に加え、丸型およびハート型のトリミング枠が表示されている。
【０２０１】
丸型のトリミング枠は、横縦比が１：１の矩形、すなわち、正方形に内接する円形の形状を有する。また、ハート型のトリミング枠は、横縦比が１：１の矩形、すなわち、正方形に内接するハート型の形状を有する。
【０２０２】
なお、これらのトリミング枠が、横長の矩形に内接する形状を有するようにして、横長の楕円型のトリミング枠や横長のハート型のトリミング枠が用意されるようにしてもよい。同様に、これらのトリミング枠が、縦長の矩形に内接する形状を有するようにして、縦長の楕円型のトリミング枠や縦長のハート型のトリミング枠が用意されるようにしてもよい。
【０２０３】
図２４に示されるトリミング枠選択領域５３１において、丸型のトリミング枠が選択された場合、画像表示部５３３に表示された撮影画像には、丸型のトリミング枠６１１および矩形枠６１２が重ねて表示される。トリミング枠６１１は、正方形形状の矩形枠６１２に内接するようにして表示される。なお、トリミング枠６１１は、矩形枠６１２に内接しなくとも、矩形枠６１２の内側に収まるように表示されるようにしてもよい。
【０２０４】
トリミング枠６１１は、ある一定の大きさで表示され、デフォルトの状態では、画像表示部５３３の中心に表示される。なお、画像表示部５３３に表示される撮影画像に対して顔検出処理を行うようにし、トリミング枠６１１が、デフォルトの状態で、検出された顔の位置を中心に表示されるようにしてもよい。
【０２０５】
利用者が、タッチペン１３２Ａを用いて、矩形枠６１２の四隅に表示される矢印形のアイコンのいずれかを、矩形枠６１２の外側に向けてドラッグすることにより、横縦比固定でトリミング枠６１１および矩形枠６１２が拡大される。また、トリミング枠６１１が拡大された状態で、利用者が、タッチペン１３２Ａを用いて、矩形枠６１２の四隅に表示される矢印形のアイコンのいずれかを、矩形枠６１２の内側に向けてドラッグすることにより、横縦比固定でトリミング枠６１１および矩形枠６１２が縮小される。さらに、利用者が、タッチペン１３２Ａを用いて、トリミング枠６１１の中央に表示される手の形のアイコン、またはトリミング枠６１１の縁を所定の方向へドラッグすることにより、トリミング枠６１１および矩形枠６１２がその方向へ移動される。
【０２０６】
また、画像表示部５３３に表示された撮影画像において、トリミング枠６１１の外側の領域は、半透明のグレーがかった表示（グレースケール表示）となっている。これにより、利用者は、トリミング枠６１１の内側の領域がトリミングされる領域であることを、容易に認識することができる。なお、上述したグレースケール表示の透過度を０にして、トリミング枠６１１の外側の領域が完全にグレーで表示されるようにしてもよい。
【０２０７】
また、トリミング枠選択領域５３１において、ハート型のトリミング枠が選択された場合、図２５に示されるように、画像表示部５３３に表示された撮影画像には、ハート型のトリミング枠６２１および矩形枠６２２が重ねて表示される。トリミング枠６２１は、正方形形状の矩形枠６２２に内接するようにして表示される。なお、トリミング枠６２１は、矩形枠６２２に内接しなくとも、矩形枠６１２の内側に収まるように表示されるようにしてもよい。
【０２０８】
なお、図２５の例においても、利用者の操作により、トリミング枠６２１の拡大／縮小および移動が、図２４の例と同様にしてなされる。また、図２５の例におけるトリミング枠６２１の外側の領域の表示もまた、図２４の例と同様にしてなされる。
【０２０９】
以上の構成によれば、より簡単な操作により、丸型やハート型のトリミング枠でトリミングされたデザイン性の高い撮影画像を、利用者に提供することができる。
【０２１０】
＜変形例＞
（トリミング枠の形状について）
矩形でない形状のトリミング枠として、丸型やハート型以外のトリミング枠が用意されるようにしてもよい。例えば、三角形や六角形、五芒星形などの星型のトリミング枠が用意されるようにしてもよい。
【０２１１】
また、携帯おまけは、SNSにアップロードされることもあるので、トリミング枠の形状が、アップロードされるSNSの種類やSNS上での用途に応じて決定されるようにしてもよい。
【０２１２】
さらに、あらかじめ利用者がタッチペンを用いて描いた形状のトリミング枠が用意されるようにしてもよい。
【０２１３】
さらにまた、利用者がランダムボタンを押下するなどの操作をすることにより、あらかじめ用意された形状のトリミング枠の中から１つのトリミング枠が無作為的に選択されるようにしてもよい。
【０２１４】
また、以上においては、矩形でない形状のトリミング枠が、矩形枠に内接するものとしたが、矩形でない形状のトリミング枠が、矩形でない形状の枠に内接するようにしてもよい。例えば、丸型のトリミング枠がハート型の枠に内接するようにしてもよいし、ハート型のトリミング枠が丸型の枠に内接するようにしてもよい。
【０２１５】
さらに、矩形でない形状のトリミング枠として、文字をかたどった形状のトリミング枠が用意されるようにしてもよい。例えば、利用者により選択されたアルファベットをかたどった形状のトリミング枠が用意されるようにする。この場合、トリミングされた画像の形状が、アルファベットをかたどった形状となる。
【０２１６】
なお、上述した例において、選択されたアルファベットのフォント、斜体にするか否か、太字にするか否か等が選択されるようにしてもよい。また、アルファベットの大文字と小文字とが切り替えられるようにしてもよい。
【０２１７】
また、撮影画像に写る利用者の人数に応じた数のアルファベットが選択されるようにしてもよい。
【０２１８】
例えば、撮影画像に２人の利用者が写っている場合には、２つのアルファベットが選択されるようにする。この場合、トリミング枠選択領域５３１には、選択されたそれぞれのアルファベットをかたどったトリミング枠が並ぶ。
【０２１９】
このように、利用者の人数分のアルファベットが選択されるようにすることで、利用者それぞれが所望のアルファベットを選択することができるようになり、ゲームに対する利用者の満足度を向上させることができる。
【０２２０】
また、編集処理において、利用者に自分の名前を入力させる名前入力画面を表示させるようにした場合、この名前入力画面に入力された名前に基づいて、アルファベットが決定されるようにしてもよい。例えば、名前入力画面に入力された名前の頭文字が、アルファベットに決定されるようにする。
【０２２１】
なお、このようにして決定されたアルファベットを、利用者が所望しない可能性もあるので、別途、利用者の操作によりアルファベットが選択されるようにしてもよい。
【０２２２】
以上においては、アルファベットが選択される例について説明したが、図形（円形や三角形、矩形等）や記号（星やハート等）、数字が選択されるようにしてもよいし、ひらがな、カタカナ、キリル文字やハングル等各国の言語の表音文字が選択されるようにしてもよい。
【０２２３】
この場合はもちろん、選択された図形や記号、数字や表音文字をかたどったトリミング枠で撮影画像がトリミングされるようになる。
【０２２４】
（スライダの向きおよび表示位置）
丸型やハート型などの矩形でない形状のトリミング枠に外接するか、または、その外側を囲う矩形枠の横縦比に応じて、トリミングされた撮影画像に施される画像処理のパラメータを調整するためのスライダの向きや表示位置が変わるようにしてもよい。
【０２２５】
例えば、図２５に示されるハート型のトリミング枠６２１は、横縦比が１：１（正方形）の矩形枠６２２に内接している。この場合、ぼかし調整画面においては、横縦比が１：１のトリミング枠でトリミングされた撮影画像の上または下に、横向きのスライダが表示される。
【０２２６】
また、図示はしないが、ハート型のトリミング枠が、横縦比が９：１６の矩形枠に内接している場合、ぼかし調整画面においては、横縦比が９：１６のトリミング枠でトリミングされた撮影画像の左または右に、縦向きのスライダが表示される。
【０２２７】
さらに、タブレット内蔵モニタ１３１上に表示される撮影画像において、タッチペンが触れる位置に応じて、スライダの表示位置が変わるようにしてもよい。
【０２２８】
例えば、縦向きのスライダが表示される場合で、タッチペンが触れる位置が撮影画像の右半分の領域である場合、縦向きのスライダは、撮影画像の右側に表示されるようにする。また、縦向きのスライダが表示される場合で、タッチペンが触れる位置が撮影画像の左半分の領域である場合、縦向きのスライダは、撮影画像の左側に表示されるようにする。なお、横向きのスライダが表示される場合には、タッチペンが触れる位置に関わらず、スライダの表示位置は変わらないようにしてもよい。
【０２２９】
また、スライダの向きや表示位置を変更するためのGUIを設けるようにしてもよい。
【０２３０】
例えば、スライダの向きや表示位置を変更するためのボタンを設け、そのボタンが操作される毎に、撮影画像を周回するように、スライダの向きや表示位置が変わるようにする。この場合、例えばデフォルトの状態では、スライダは、撮影画像の下側に横向きで表示され、そのボタンが操作される毎に、撮影画像の右側に縦向きで、撮影画像の上側に横向きで、撮影画像の左側に縦向きで、そしてデフォルトの状態で、順に表示される。
【０２３１】
さらに、画面上に表示されているスライダを、タッチペンでドラッグすることで、その向きや表示位置が変わるようにしてもよい。
【０２３２】
また、利用者の利き手に応じて、スライダの向きや表示位置が変わるようにしてもよい。例えば、タブレット内蔵モニタ１３１に対するタッチペンの先端部分の角度や接触部分から、利用者の利き手を判別するようにする。その判別結果に基づいて、利用者が右利きの場合には、撮影画像の右側に縦方向のスライダが表示され、利用者が左利きの場合には、撮影画像の左側に縦方向のスライダが表示されるようにする。
【０２３３】
（選択されたトリミング枠の形状に応じた変形例）
選択されたトリミング枠の形状に応じて、拡大／縮小の拡大率（縮小率）が変わるようにしてもよい。
【０２３４】
また、選択されたトリミング枠の形状が丸型の場合、半径の長さや偏平率、傾きなどが入力されるようにしてもよい。
【０２３５】
さらに、選択されたトリミング枠の形状が半円形や扇形の場合、弧の長さが選択されるようにしてもよい。
【０２３６】
さらにまた、選択されたトリミング枠の形状が丸型の場合、複数の異なる半径が入力されるようにし、それぞれの半径のトリミング枠でトリミングされた複数の丸型の撮影画像が得られるようにしてもよい。これらの撮影画像は、複数の画像として出力されるようにしてもよいし、半径の大きい順に重畳された１枚の画像として出力されるようにしてもよい。
【０２３７】
また、図１４を参照して説明した４枚合成画像において、４枚の撮影画像それぞれを、異なる形状のトリミング枠でトリミングされた画像とするようにしてもよいし、トリミングされた４枚の撮影画像それぞれを組み合わせた形状が、所定の形状となるようにしてもよい。
【０２３８】
さらに、画像表示部５３３上で、トリミング枠が回転可能とされるようにしてもよい。なお、丸型のトリミング枠は、回転させても見た目の形状は変わらないため、回転可能とされないようにする。回転角度は、利用者により入力させるようにしてもよいし、上述したスライダにより調整されるようにしてもよい。また、複数の回転角度の中から、いずれかの回転角度を利用者に選択させるようにしてもよい。
【０２３９】
（トリミングの他の例）
以上においては、矩形でない形状のトリミング枠でトリミングされた撮影画像の形状は、そのトリミング枠の形状になるものとした。これに限らず、トリミングされた撮影画像の形状を、矩形枠の形状（すなわち矩形）とし、撮影画像におけるトリミング枠の外側の領域（外側領域）の透過率を100％（すなわち透明）とするようにしてもよい。これにより、撮影画像の見た目の形状は、トリミング枠の形状となる。
【０２４０】
この場合、利用者の操作により、外側領域の透過率が、例えば５段階に調整されるようにしてもよい。また、撮影画像におけるトリミング枠の内側の領域（内側領域）の透過率も、被写体の存在が確認できる範囲で調整されるようにしてもよい。
【０２４１】
これにより、外側領域と内側領域とで、領域毎に見た目の印象を変えることができる。
【０２４２】
また、利用者の操作により、外側領域に所定の色付けがなされるようにしてもよい。外側領域の色は、例えば６色のうちのいずれか１色が選択される。また、外側領域の色として、複数の色が選択されるようにしてもよい。この場合、例えば、外側領域には、選択された複数の色のグラデーションが施されるようにする。なお、複数の色が選択可能な場合、利用者に１色のみ選択させ、その補色となる色が自動的に選択されることで、結果的に２色が選択されるようにしてもよい。
【０２４３】
このように、外側領域に色付けがなされるようにすることで、携帯おまけとなる撮影画像の見た目を彩り豊かにすることができる。
【０２４４】
さらに、外側領域のみに対して、図１４を参照して説明した加工処理（色情報変更処理およびフィルタ合成処理）が施されるようにしてもよい。これにより、携帯おまけとなる撮影画像のデザイン性を高めることができる。
【０２４５】
また逆に、内側領域のみに対して、加工処理（色情報変更処理およびフィルタ合成処理）が施されるようにしてもよい。
【０２４６】
（コラージュ画像のトリミング）
写真シール機の中には、コラージュ画像を生成するものがある。コラージュ画像は、複数の撮影画像が組み合わされてなる１枚の画像である。コラージュ画像には、複数の撮影画像が、所定のデザインを有するデザインパターンに従って配置される。
【０２４７】
このようなコラージュ画像をトリミングする場合、コラージュ画像に配置される撮影画像それぞれが個々に、矩形でない形状のトリミング枠でトリミングされるようにしてもよいし、コラージュ画像全体が、矩形でない形状のトリミング枠でトリミングされるようにしてもよい。
【０２４８】
（シールレイアウト選択時のトリミング）
シールレイアウトを選択する際に、シール紙に配置される撮影画像が、矩形でない形状のトリミング枠でトリミングされるようにしてもよい。
【０２４９】
例えば、図２６の上段に示されるシールレイアウト画像が選択されたとする。このシールレイアウト画像には、５枚の撮影画像６５１乃至６５５が配置される。
【０２５０】
ここで、シールレイアウト画像に配置される撮影画像６５１乃至６５５それぞれが個々に、矩形でない形状のトリミング枠でトリミングされるようにする。例えば、撮影画像６５１が、丸型のトリミング枠でトリミングされた場合、図２６の下段に示されるシールレイアウト画像が生成される。
【０２５１】
もちろん、撮影画像６５１乃至６５５全てが、矩形でない形状のトリミング枠でトリミングされるようにしてもよいし、それぞれが異なる形状のトリミング枠でトリミングされるようにしてもよい。
【０２５２】
（ぼかし処理が施された画像の編集）
ぼかし処理が施された撮影画像が、編集画像として、編集画面に表示されるようにしてもよい。この場合、タッチペンが編集画面（タブレット内蔵モニタ１３１）に接触している間は、編集画像に施されているぼかし処理が消去されるようにしてもよい。これにより、所定のスタンプ画像を合成するなどの編集処理の負荷を低減することができる。
【０２５３】
また、ぼかし処理が施されている編集画像にスタンプ画像が合成される場合、そのスタンプ画像には、ぼかし処理が施されないようにしてもよい。これによっても、編集処理の負荷を低減することができる。
【０２５４】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０２５５】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２５６】
この記録媒体は、例えば、図７に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０２５７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５８】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２５９】
また、本技術の実施の形態は、上述した実施の形態に限定されるものではなく、本技術の要旨を逸脱しない範囲において種々の変更が可能である。
【符号の説明】
【０２６０】
１  写真シール作成装置
５１１  表示制御部
５１２  モニタ
５１３  操作受付部
５１４  トリミング処理部
５１５  加工処理部
５１６  画像処理部
【図１】
0006659942.tif 000002
【図２】
0006659942.tif 000003
【図３】
0006659942.tif 000004
【図４】
0006659942.tif 000005
【図５】
0006659942.tif 000006
【図６】
0006659942.tif 000007
【図７】
0006659942.tif 000008
【図８】
0006659942.tif 000009
【図９】
0006659942.tif 000010
【図１０】
0006659942.tif 000011
【図１１】
0006659942.tif 000012
【図１２】
0006659942.tif 000013
【図１３】
0006659942.tif 000014
【図１４】
0006659942.tif 000015
【図１５】
0006659942.tif 000016
【図１６】
0006659942.tif 000017
【図１７】
0006659942.tif 000018
【図１８】
0006659942.tif 000019
【図１９】
0006659942.tif 000020
【図２０】
0006659942.tif 000021
【図２１】
0006659942.tif 000022
【図２２】
0006659942.tif 000023
【図２３】
0006659942.tif 000024
【図２４】
0006659942.tif 000025
【図２５】
0006659942.tif 000026
【図２６】
0006659942.tif 000027